(57)【要約】    【課題】  操作性と量産効果に優れたテレスコピック式伸縮作業桿の継手を提供する。    【解決手段】  第１直桿（Ｐ１）の先端部に套嵌された固定芯筒（Ａ）と、これに套嵌された操作鞘筒（Ｂ）との１組から成り、芯筒（Ａ）が第１直桿（Ｐ１）から張り出す約半部の外周面を先太り円錐勾配面（９）とし、且つ口径収縮用割り溝（１０）により複数の第２直桿用抱持片（１１）として分岐させ、その抱持片に先端側へ行く程登り勾配となる鞘筒用案内溝レール（１７）を、正面視の円弧型軌跡として切り欠く一方、これと鞘筒の内周面に陥没するボール受け入れ凹溝（１９）との相互間へボール（２０）を介在させて，鞘筒をそのボールが案内溝レールに沿って登る先端方向へ押し進め乍ら捻り回動操作するように定めた。【選択図】  図８
2005114161.tif 000002
【特許請求の範囲】
【請求項１】
手元側の太い第１直桿（Ｐ１）と先端側の細い第２直桿（Ｐ２）とが、相対的な伸縮自在に嵌合されたテレスコピック式作業桿の継手（Ｃ）として、
第１直桿（Ｐ１）の先端部へ約半部だけが差し込み套嵌された一定長さ（Ｌ１）の固定芯筒（Ａ）と、その筒芯方向に沿う進退作用と回動作用とを行なえるように、上記固定芯筒（Ａ）へ套嵌された操作鞘筒（Ｂ）との１組から成り、
上記固定芯筒（Ａ）における第１直桿（Ｐ１）の先端から張り出す残余の約半部を、その外周面が一定角度（α）の先太り円錐勾配面（９）となるように先端側へ行く程徐々に厚肉化し、且つその先端側から一定深さ（Ｄ２）だけ切り込んだ口径収縮用割り溝（１０）により、複数個の第２直桿用抱持片（１１）として全体的な放射対称配置型に分岐させ、
その抱持片（１１）における少なくとも１個の上記先太り円錐勾配面（９）に沿って、先端側へ行く程徐々に登り勾配となる一定深さ（Ｄ３）の操作鞘筒用案内溝レール（１７）を、その最低点（Ｇ１）から最高点（Ｇ２）まで連続的に屈曲する円弧型又はほぼ倒立Ｌ字型の軌跡として切り欠き列設する一方、
上記操作鞘筒（Ｂ）における先端部付近の内周面に、固定芯筒（Ａ）側の上記案内溝レール（１７）と向かい合うボール受け入れ凹溝（１９）を対応形成すると共に、
そのボール受け入れ凹溝（１９）と上記案内溝レール（１７）との相互間へ、スチールボール（２０）を介在させて、
上記操作鞘筒（Ｂ）をそのボール（２０）が案内溝レール（１７）の軌跡に沿って登る先端方向へ押し進め乍ら回動操作することにより、固定芯筒（Ａ）側の上記抱持片（１１）を第２直桿（Ｐ２）への圧着状態に締め付けロックし得るように定めたことを特徴とするテレスコピック式伸縮作業桿の継手。
【請求項２】
手元側の太い第１直桿（Ｐ１）と先端側の細い第２直桿（Ｐ２）とが、相対的な伸縮自在に嵌合されたテレスコピック式作業桿の継手（Ｃ）として、
第１直桿（Ｐ１）の先端部へ約半部だけが差し込み套嵌された一定長さ（Ｌ１）の固定芯筒（Ａ）と、その筒芯方向に沿う進退作用と回動作用とを行なえるように、上記固定芯筒（Ａ）へ套嵌された操作鞘筒（Ｂ）との１組から成り、
上記固定芯筒（Ａ）における第１直桿（Ｐ１）の先端から張り出す残余の約半部を、その外周面が一定角度（α）の先太り円錐勾配面（９）となるように先端側へ行く程徐々に厚肉化し、且つその先端側から一定深さ（Ｄ２）だけ切り込んだ口径収縮用割り溝（１０）により、複数個の第２直桿用抱持片（１１）として全体的な放射対称配置型に分岐させ、
その抱持片（１１）における少なくとも１個の上記先太り円錐勾配面（９）に沿って、先端側へ行く程徐々に登り勾配となる一定深さ（Ｄ３）の操作鞘筒用案内溝レール（１７）を、その最低点（Ｇ１）から最高点（Ｇ２）まで連続的に屈曲する円弧型又はほぼ倒立Ｌ字型の軌跡として切り欠き列設する一方、
上記操作鞘筒（Ｂ）をその内周面が固定芯筒（Ａ）側の上記先太り円錐勾配面（９）と対応する先細り円錐勾配面（２１）となるように先端側へ行く程徐々に薄肉化し、且つその操作鞘筒（Ｂ）の先端部付近に植え込んだピン又は止めネジ（２３）を、固定芯筒（Ａ）側の上記案内溝レール（１７）と係合させて、
上記操作鞘筒（Ｂ）をそのピン又は止めネジ（２３）が上記案内溝レール（１７）の軌跡に沿って登る先端方向へ押し進め乍ら回動操作することにより、固定芯筒（Ａ）側の上記抱持片（１１）を第２直桿（Ｐ２）への圧着状態に締め付けロックし得るように定めたことを特徴とするテレスコピック式伸縮作業桿の継手。
【請求項３】
固定芯筒（Ａ）における第２直桿用抱持片（１１）の内周面へ、耐摩耗性のゴムや熱可塑性エラストマーなどから成る滑り止め用弾性ライニング（１６）を貼り付けたことを特徴とする請求項１又は２記載のテレスコピック式伸縮作業桿の継手。
【請求項４】
固定芯筒（Ａ）における第２直桿用抱持片（１１）の基端部付近に、その口径収縮用割り溝（１０）との交叉状態に連通する口径収縮補助用枝溝（１３）を切り欠いたことを特徴とする請求項１又は２記載のテレスコピック式伸縮作業桿の継手。
【請求項５】
操作鞘筒（Ｂ）の外周面に多数の滑り止め用凸条（１８）を、その筒芯方向への平行状態に列設したことを特徴とする請求項１又は請求項２記載のテレスコピック式伸縮作業桿の継手。
【請求項６】
第１、２直桿（Ｐ１）（Ｐ２）を何れもＦＲＰから、その手元端だけが先端方向への抜け止め用ストッパーフランジ（４）（５）として部分的に厚肉な中空の断面正多角形に成形する一方、
固定芯筒（Ａ）を操作鞘筒（Ｂ）と同じＡＢＳ樹脂やその他の硬質な合成樹脂から、その第２直桿用抱持片（１１）の内周面が上記第２直桿（Ｐ２）と対応する断面正多角形に造形すると共に、
上記抱持片（１１）の基端部に第１直桿（Ｐ１）の先端と第２直桿（Ｐ２）側の上記ストッパーフランジ（５）との双方へ係止し得る係止段差（６）を設けたことを特徴とする請求項１又は２記載のテレスコピック式伸縮作業桿の継手。
【発明の詳細な説明】
【技術分野】
【０００１】
本発明は主として配電線や通信ケーブル、トロリー線などの架線工事を初め、人の立ち入り不可能な狭隘空間の点検作業、人手の届かない遠方や高所にある物の採取作業などを行なうため、短時間での伸縮操作を繰り返すテレスコピック式作業桿に有用な継手に関する。
【背景技術】
【０００２】
本発明の出願人はカメラの三脚にふさわしい「パイプの伸縮装置」として、先に実用新案登録第２５０９６４６号を提案した。
【０００３】
この公知考案の場合、径大なパイプ（１５）の先端部に接着一体化された第１筒体（１）のテーパー部（５）へ、第２筒体（２）のスリット（８）を有する薄肉部（９）が、所謂テーパー嵌合された差し込み状態にあって、その第２筒体（２）における薄肉部（９）の口径収縮作用により、径小なパイプ（１６）を締め付けロックするようになっている点で、その基本的な構成が本発明に最も近似すると考えられる。
【特許文献１】実用新案登録第２５０９６４６号公報
【特許文献２】実開平４−１０９２９６号公報
【特許文献３】特公昭５４−１２３３５号公報
【特許文献４】実開昭５７−７５２１２号公報
【発明の開示】
【発明が解決しようとする課題】
【０００４】
ところが、上記公知考案の構成では径小なパイプ（１６）の締め付けロック操作上、第２筒体（２）を第１筒体（１）の内奥部（第２図の下方）へ、直進的に押し込み移動させるだけであるため、使用中に径小なパイプ（１６）が万一ショックを受けたり、撓み変形したりした場合には、上記第２筒体（２）がその環状凸起（１０）と第１筒体（１）の環状凹部（６）との係合作用を介して、第１筒体（１）から抜け出さないまでも、その第２筒体（２）による径小なパイプ（１６）の締め付けロック状態が不慮に弛緩しやすく、特に径小なパイプ（１６）が垂直姿勢の使用中にあると、瞬時に滑り落ち短縮されてしまう結果となる。
【０００５】
又、第１筒体（１）と第２筒体（２）のほかに、ロック解除用の特別なリング（１３）が必要であり、そのリング（１３）の雌ねじ（１４）を第２筒体（２）の雄ねじ（１２）へ螺合締結しておかなければならないので、特に多段のテレスコピック式伸縮作業桿用としては未だコスト高となり、量産効果を最大限に発揮させることができない。
【０００６】
しかも、上記リング（１３）を回動操作して、第１筒体（１）の先端部と一旦接触するまで螺進させ、その接触した突っ張り状態から更にリング（１３）を回動操作し続けて、第２筒体（２）を相対的に第１筒体（１）から抜き出す方向（第２図の上方）へ螺退させることにより、径小なパイプ（１６）の締め付けロック状態を解除するようになっているため、その解除操作をワンタッチ式でのすばやく行なうことができず、頻繁に伸縮操作を繰り返す多段のテレスコピック式作業桿用としては不便である。
【０００７】
更に、上記雌ねじ（１４）と雄ねじ（１２）との螺合作用を介して、第２筒体（２）を第１筒体（１）からの抜き出し方向へ回動させるようになっている構成上、断面円形のパイプ（１５）（１６）に限られ、断面角形のパイプ（１５）（１６）に適用実施することは不可能であり、汎用性に劣る。
【課題を解決するための手段】
【０００８】
本発明はこのような諸問題の改良を目的としており、その目的を達成するために請求項１では、手元側の太い第１直桿と先端側の細い第２直桿とが、相対的な伸縮自在に嵌合されたテレスコピック式作業桿の継手として、
【０００９】
第１直桿の先端部へ約半部だけが差し込み套嵌された一定長さの固定芯筒と、その筒芯方向に沿う進退作用と回動作用とを行なえるように、上記固定芯筒へ套嵌された操作鞘筒との１組から成り、
【００１０】
上記固定芯筒における第１直桿の先端から張り出す残余の約半部を、その外周面が一定角度の先太り円錐勾配面となるように先端側へ行く程徐々に厚肉化し、且つその先端側から一定深さだけ切り込んだ口径収縮用割り溝により、複数個の第２直桿用抱持片として全体的な放射対称配置型に分岐させ、
【００１１】
その抱持片における少なくとも１個の上記先太り円錐勾配面に沿って、先端側へ行く程徐々に登り勾配となる一定深さの操作鞘筒用案内溝レールを、その最低点から最高点まで連続的に屈曲する円弧型又はほぼ倒立Ｌ字型の軌跡として切り欠き列設する一方、
【００１２】
上記操作鞘筒における先端部付近の内周面に、固定芯筒側の上記案内溝レールと向かい合うボール受け入れ凹溝を対応形成すると共に、
【００１３】
そのボール受け入れ凹溝と上記案内溝レールとの相互間へ、スチールボールを介在させて、
【００１４】
上記操作鞘筒をそのボールが案内溝レールの軌跡に沿って登る先端方向へ押し進め乍ら回動操作することにより、固定芯筒側の上記抱持片を第２直桿への圧着状態に締め付けロックし得るように定めたことを特徴とする。
【００１５】
又、請求項２では同じく手元側の太い第１直桿と先端側の細い第２直桿とが、相対的な伸縮自在に嵌合されたテレスコピック式作業桿の継手として、
【００１６】
第１直桿の先端部へ約半部だけが差し込み套嵌された一定長さの固定芯筒と、その筒芯方向に沿う進退作用と回動作用とを行なえるように、上記固定芯筒へ套嵌された操作鞘筒との１組から成り、
【００１７】
上記固定芯筒における第１直桿の先端から張り出す残余の約半部を、その外周面が一定角度の先太り円錐勾配面となるように先端側へ行く程徐々に厚肉化し、且つその先端側から一定深さだけ切り込んだ口径収縮用割り溝により、複数個の第２直桿用抱持片として全体的な放射対称配置型に分岐させ、
【００１８】
その抱持片における少なくとも１個の上記先太り円錐勾配面に沿って、先端側へ行く程徐々に登り勾配となる一定深さの操作鞘筒用案内溝レールを、その最低点から最高点まで連続的に屈曲する円弧型又はほぼ倒立Ｌ字型の軌跡として切り欠き列設する一方、
【００１９】
上記操作鞘筒をその内周面が固定芯筒側の上記先太り円錐勾配面と対応する先細り円錐勾配面となるように先端側へ行く程徐々に薄肉化し、且つその操作鞘筒の先端部付近に植え込んだピン又は止めネジを、固定芯筒側の上記案内溝レールと係合させて、
【００２０】
上記操作鞘筒をそのピン又は止めネジが上記案内溝レールの軌跡に沿って登る先端方向へ押し進め乍ら回動操作することにより、固定芯筒側の上記抱持片を第２直桿への圧着状態に締め付けロックし得るように定めたことを特徴とする。
【００２１】
請求項３では上記請求項１又は２に従属する構成として、固定芯筒における第２直桿用抱持片の内周面へ、耐摩耗性のゴムや熱可塑性エラストマーなどから成る滑り止め用弾性ライニングを貼り付けたことを特徴とする。
【００２２】
請求項４では同じく請求項１又は２に従属する構成として、固定芯筒における第２直桿用抱持片の基端部付近に、その口径収縮用割り溝との交叉状態に連通する口径収縮補助用枝溝を切り欠いたことを特徴とする。
【００２３】
請求項５では上記請求項１又は２に従属する構成として、操作鞘筒の外周面に多数の滑り止め用凸条を、その筒芯方向への平行状態に列設したことを特徴とする。
【００２４】
更に、請求項６ではやはり請求項１又は２に従属する構成として、第１、２直桿を何れもＦＲＰから、その手元端だけが先端方向への抜け止め用ストッパーフランジとして部分的に厚肉な中空の断面正多角形に成形する一方、
【００２５】
固定芯筒を操作鞘筒と同じＡＢＳ樹脂やその他の硬質な合成樹脂から、その第２直桿用抱持片の内周面が上記第２直桿と対応する断面正多角形に造形すると共に、
【００２６】
上記抱持片の基端部に第１直桿の先端と第２直桿側の上記ストッパーフランジとの双方へ係止し得る係止段差を設けたことを特徴とする。
【発明の効果】
【００２７】
請求項１の上記構成によれば、伸縮作業桿の継手として固定芯筒と操作鞘筒との僅かな２部品から成り、その使用に当っても固定芯筒を第１直桿の先端部へ差し込み套嵌すれば足りるため、量産効果を最大限に発揮させることができ、第１、２直桿の断面形状に左右されない汎用性もある。
【００２８】
又、第１直桿に対する第２直桿の締め付けロック操作上、操作鞘筒をそのスチールボールが固定芯筒側の第２直桿用抱持片に切り欠かれた案内溝レールの軌跡に沿って、その登り勾配を登る先端方向へ押し進め乍ら捻り回動させるようになっており、これとの逆方向に捻り回動操作しつつ手元側へ引き戻せば、上記第２直桿の締め付けロック状態が解除されるため、その必要な操作をワンタッチ式に便利良く行なえ、頻繁に伸縮操作を繰り返さなければならない多段のテレスコピック式伸縮作業桿用として、特に有効である。
【００２９】
このような操作性に優れるにも拘らず、上記操作鞘筒はその案内溝レールにおける登り勾配の最低点から最高点まで連続的に屈曲する円弧型又はほぼ倒立Ｌ字型の軌跡に沿って、固定芯筒の円周方向へ一定角度だけ捻り回動されることになるため、使用中のショックや振動を受けるも、その操作鞘筒が不慮に戻り回動する如く、上記締め付けロック状態の弛緩してしまうおそれもない。
【００３０】
そして、このような効果は請求項２の構成を採用するも、ほぼ同等に達成することができる。
【００３１】
特に、請求項３の構成を採用するならば、固定芯筒の第２直桿用抱持片とその第２直桿とが互いに滑り合うことを制動でき、その弾圧力により締め付けロック状態を安定・確固に保てる効果がある。
【００３２】
又、請求項４の構成を採用するならば、固定芯筒における第２直桿用抱持片の口径収縮作用をその割り溝と枝溝により、確実に無理なく営なませることができ、撓み性能の向上に役立つ。
【００３３】
請求項５の構成を採用するならば、その操作鞘筒の捻り回動時に軍手などを着用していても、空滑りすることがなく、その操作を安全にすばやく行なえる効果がある。
【００３４】
更に、請求項６の構成を採用するならば、第１、２直桿と固定芯筒との対応的な断面正多角形により、伸縮作業桿の最先端部に取り付け使用される架線受けフックやカメラ、カッターなどの各種作業器具を、常時正しい方向性の使用状態に保つことができるほか、その伸縮作業桿の伸長状態と短縮状態を自づと整然化し得る効果もある。
【発明を実施するための最良の形態】
【００３５】
以下、図面に基いて本発明の具体的構成を詳述すると、その本発明の第１実施形態を示した図１〜２４において、（Ｐ１）（Ｐ２）は相対的な伸縮自在に嵌合された手元側の太い第１直桿と先端側の細い第２直桿であり、これらの隣り合う一対づつが後述する継手（Ｃ）を介して順次接続され、図１〜４に例示するような多段のテレスコピック式伸縮作業桿に仕上げられることとなる。その継手（Ｃ）の太さも、第１、２直桿（Ｐ１）（Ｐ２）の隣り合う一対づつに応じて、順次段階的に変化することは勿論である。
【００３６】
このような伸縮作業桿の最先端部には、例えば架線受けフックやカメラ、カッターなどの各種作業器具（１）が、アタッチメントとして互換的に取り付けられ、配電線や通信ケーブル、トロリー線などの架線工事を初め、人の立ち入り不可能な建物などにおける狭隘空間の撮影・点検作業、人手の届かない遠方や高所にある物の採取作業、その他の諸作業に使用される。
【００３７】
この点、図１、２では上記伸縮作業桿の最も太い手元部を硬質な合成樹脂製のキャップ（２）によって施蓋する一方、同じく最も細い先端部を施蓋した金属製の固定ブッシュ（３）へ、架線受けフック（１）を植え込み状態に螺合締結しているが、これに代る上記カメラやカッターなどを取り付け使用し、その手元部からのリモートコントロールワイヤー（図示省略）を、伸縮作業桿の中空内部へ導通配線することも可能である。
【００３８】
上記伸縮作業桿を形作る太い第１直桿（Ｐ１）と細い第２直桿（Ｐ２）は、各々ガラス繊維クロスやカーボン繊維クロスなどのＦＲＰクロスに、フェノール樹脂やエポキシ樹脂などの熱硬化性樹脂が含浸されたプリプレグを素材として、そのＦＲＰクロスプリプレグの加熱硬化により、互いに対応合致する断面正多角形（図例では正六角形）の積層状態に製管された中空の１本物であり、その何れも手元端だけは先端方向への抜け止め用となる径大なストッパーフランジ（４）（５）として、部分的な厚肉の積層状態に増強されている。
【００３９】
（Ａ）はＡＢＳ樹脂やその他の硬質な合成樹脂から一体成形された一定長さ（Ｌ１）（例えば約７５mm）の固定芯筒であって、図５〜２０のような円形の外周面を備えているが、その内周面の中途部（後述する第２直桿用抱持片の基端部）には第１直桿（Ｐ１）の先端と、第２直桿（Ｐ２）の上記抜け止め用ストッパーフランジ（５）との双方へ係止し得る係止段差（６）が設けられている。
【００４０】
つまり、その固定芯筒（Ａ）の係止段差（６）を境界とする手元側の約半部は、比較的薄肉（例えば約２mmの一定厚み）な差込み脚筒部（７）として、上記第１直桿（Ｐ１）の先端部へ図５〜９のように、両面接着テープ（図示省略）などを介して一定深さ（Ｄ１）（例えば約３０mm）だけ差し込み套嵌されている。（８）はその差込み脚筒部（７）の手元端から張り出す径大な円形のストッパーフランジであり、後述する操作鞘筒の抜け止め用となる。
【００４１】
上記固定芯筒（Ａ）における差込み脚筒部（７）の内周面は、図例の場合円形をなしているが、その内周面を第１直桿（Ｐ１）と対応合致する断面正六角形やその他の正多角形に造形しても勿論良い。
【００４２】
他方、同じく固定芯筒（Ａ）の係止段差（６）を境界として、第１直桿（Ｐ１）の先端から残余の一定長さ（Ｌ２）（例えば約４５mm）だけ張り出す約半部は、第２直桿（Ｐ２）と対応する断面正多角形（図例では正六角形）の内周面を備え、且つ先端側へ行く程徐々に厚肉化されることにより、その円形な外周面が先太り円錐勾配面（９）として造形されている。（α）はその先太り円錐勾配面（９）における上記固定芯筒（Ａ）の筒芯線（Ｙ−Ｙ）と交叉する一定角度を示しており、例えば約２〜３度、望ましくは約２．４５度に設定されている。
【００４３】
しかも、上記固定芯筒（Ａ）における第１直桿（Ｐ１）の先端から張り出す残余の約半部には、その最も厚肉な先端側から口径収縮用割り溝（１０）が一定深さ（Ｄ２）（例えば約４５mm）だけ切り込まれることにより、複数個（図例では合計３個）の第２直桿用抱持片（１１）として、その複数個の全体的な放射対称配置型に分岐されている。（１２）はこのような各抱持片（１１）の最も厚肉な先端から張り出す径大な円弧状のストッパーフランジであり、これらも後述する操作鞘筒の抜け止め用となる。
【００４４】
その場合、各口径収縮用割り溝（１０）の開口幅は上記した一定角度（α）との関係上、抱持片（１１）の基端部から先端方向へ行く程徐々に広く拡大させることが好ましい。又、上記各抱持片（１１）の基端部付近に、その口径収縮用割り溝（１０）とのほぼ直角な交叉状態に連通する口径収縮補助用枝溝（１３）を切り欠くことが望ましい。（Ｌ３）はその枝溝（１３）の開口長さを示しており、例えば約２０mmである。
【００４５】
（１４）はこのような口径収縮補助用枝溝（１３）と上記係止段差（６）との相互間に延在する位置関係として、各抱持片（１１）の内周面から僅かな一定量（Ｈ１）（例えば約０．５〜１．０mm）だけ張り出された基端部補強帯片、（１５）は同じく各抱持片（１１）における内周面の就中フラット面部に陥没するライニング受け入れ凹溝であり、その内部には滑り止め用弾性ライニング又はシュー（１６）が嵌合状態に貼り付け一体化されている。
【００４６】
茲に、弾性ライニング（１６）は耐摩耗性のゴムや熱可塑性エラストマーなどの膜材から成り、その表面が上記抱持片（１１）の内周面から、先の補強帯片（１４）とほぼ同じ一定量（Ｈ１）だけ張り出されることによって、その抱持片（１１）と第２直桿（Ｐ２）との滑り合うおそれを制動し、上記補強帯片（１４）と相俟って第２直桿（Ｐ２）へ安定良く確固に圧着する。
【００４７】
更に、（１７）は上記抱持片（１１）における少なくとも１個（図例ではその全部の合計３個）の外周面をなす先太り円錐勾配面（９）に沿って、その先端側へ行く程徐々に登り勾配となる一定深さ（Ｄ３）（例えば約３mm）の操作鞘筒用案内溝レールであり、図５や図１５のような正面から見た場合、その登り勾配の最低点（Ｇ１）から最高点（Ｇ２）まで緩やかに連続し、大きな曲率半径のもとに屈曲変向する円弧型の軌跡として切り欠き列設されている。
【００４８】
しかも、このような案内溝レール（１７）の溝底面は後述のスチールボールと対応する凹曲面をなし、そのボールが案内溝レール（１７）の最低点（Ｇ１）から登る如く、先端方向へ押し進め案内され、その最高点（Ｇ２）へ行くに連れて、後述の操作鞘筒が自づと一定角度（β）だけ円周方向へ捻り回動されるようになっている。
【００４９】
この点、図例では右勝手の作業者用として、その案内溝レール（１７）が右方向への捻り回動軌跡として切り欠き列設されているが、左方向へのそれとして切り欠き列設されることもある。又、これにより操作鞘筒が捻り回動されることになる上記一定角度（β）として、図例の場合約３０度に設定されているけれども、上記抱持片（１１）における分岐個数や大きさなどとの関係を総合的に考慮して、約３０〜９０度の角度範囲内での適当な数値に選定することができる。
【００５０】
次に、（Ｂ）は上記固定芯筒（Ａ）と同じＡＢＳ樹脂やその他の硬質な合成樹脂から、図１２〜１４や図２１〜２４のような固定芯筒（Ａ）よりも短かい一定長さ（Ｌ４）の円筒型、望ましくは固定芯筒（Ａ）側の第２直桿用抱持片（１１）とほぼ対応する一定長さ（先に例示した約４５mm）の円筒型に一体成形された操作鞘筒であって、上記固定芯筒（Ａ）の差込み脚筒部（７）と嵌合し得る口径の円形な内周面を備えているが、同じく円形の外周面には操作手の滑り止め用となる凸条（１８）の多数が、その筒芯方向への平行状態に列設されている。その凸条（１８）の張り出し量（Ｈ２）は、一例として約３mmである。
【００５１】
そして、このような操作鞘筒（Ｂ）は上記固定芯筒（Ａ）における第２直桿用抱持片（１１）の口径を人為強制的に収縮変形させることにより、その先端側から固定芯筒（Ａ）の差込み脚筒部（７）へ予じめ差し込み套嵌された組立状態にある。そのため、その操作鞘筒（Ｂ）を上記固定芯筒（Ａ）の筒芯線（Ｙ−Ｙ）に沿って先端方向へ押し進めれば、これと交叉する先太り円錐勾配面（９）を備えた上記抱持片（１１）が口径収縮作用し、第２直桿（Ｐ２）へ圧着することになる。
【００５２】
（１９）は上記第２直桿用抱持片（１１）の先太り円錐勾配面（９）に切り欠き列設された操作鞘筒用案内溝レール（１７）と向かい合う関係として、操作鞘筒（Ｂ）における先端部付近の内周面に陥没するボール受け入れ凹溝であり、図例では合計３個の上記抱持片（１１）に各々案内溝レール（１７）が切り欠き列設されているため、そのボール受け入れ凹溝（１９）もこれらと対応する合計３個として、図９や図２３のような点在分布状態に切り欠かれている。
【００５３】
（２０）はこのような操作鞘筒（Ｂ）側のボール受け入れ凹溝（１９）と、固定芯筒（Ａ）側における上記案内溝レール（１７）との向かい合う相互間へ、封入状態に介挿されたスチールボールであり、上記操作鞘筒（Ｂ）を固定芯筒（Ａ）側のストッパーフランジ（１２）に受け止められる先端まで押し進めた最終時点では、そのボール（２０）が図７〜１１のように上記案内溝レール（１７）の最高点（Ｇ２）まで到達する。
【００５４】
他方、同じく操作鞘筒（Ｂ）を固定芯筒（Ａ）側の別なストッパーフランジ（８）に受け止められる手元端まで引き戻した状態では、図例の場合そのボール（２０）が図５、６のように、上記案内溝レール（１７）の中途部に位置することとなるが、その案内溝レール（１７）の最低点（Ｇ１）まで到達するように関係設定しても勿論良い。
【００５５】
図２５〜３９は先の図５〜２４と対応する本発明の第２実施形態を示しており、これでは上記第２実施形態と同じ一定長さ（Ｌ１）（約７５mm）の固定芯筒（Ａ）を採用しつつも、その係止段差（６）から手元側の差込み脚筒部（７）を第１直桿（Ｐ１）の先端部へ、約４０mmの一定深さ（Ｄ１）だけ差し込み套嵌している一方、残る約３５mmの一定長さ（Ｌ２）だけ上記第１直桿（Ｐ１）の先端部から張り出す第２直桿用抱持片（１１）の円形な外周面の中間部を、約２０mmの一定長さ（Ｌ５）分だけ先太り円錐勾配面（９）として造形している。その抱持片（１１）を合計３個として分岐する口径収縮用割り溝（１０）の切り込み深さ（Ｄ２）は、約３７mmである。
【００５６】
又、第２実施形態では上記抱持片（１１）の先太り円錐勾配面（９）へ操作鞘筒用案内溝レール（１７）を、図２５、３２のような正面から見た場合に、その登り勾配の最低点（Ｇ１）から一旦固定芯筒（Ａ）の先端方向へ直進し、その中途部から最高点（Ｇ２）へ近づく程小さな曲率半径での鋭く屈曲して、円周方向へ連続的に変向する全体的なほぼ倒立Ｌ字型の軌跡として切り欠き列設している。しかも、その案内溝レール（１７）の溝底面をフラット面、厳密には先太り円錐勾配面（外周面）（９）と平行な凸曲面として、約３mmの一定深さ（Ｄ３）に切り欠いている。
【００５７】
更に、操作鞘筒（Ｂ）の一定長さ（Ｌ４）も上記第１実施形態のそれと同じ約４５mmであるが、これを先端側へ行く程徐々に薄肉化することにより、その内周面の中間部を一定長さ（Ｌ６）（約２０mm）分だけ、上記固定芯筒（Ａ）側の先太り円錐勾配面（９）と対応する先細り円錐勾配面（２１）として造形し、ここでの内周面と外周面とをほぼ平行状態に保っている。
【００５８】
そして、上記第１実施形態のボール受け入れ凹溝（１９）に代るピン用又は止めネジ用の植込み孔（２２）を、その操作鞘筒（Ｂ）の先端部付近へやはり上記案内溝レール（１７）と向かい合う対応位置関係に貫通形成して、その植込み孔（２２）へ外部から圧入一体化したピン（図示省略）の先端部又は同じく植込み孔（２２）へ外部から螺入締結した止めネジ（２３）の先端部を、上記案内溝レール（１７）の内部へ差し込み係合させている。
【００５９】
そのため、上記第１実施形態と同様に、操作鞘筒（Ｂ）を固定芯筒（Ａ）側のストッパーフランジ（１２）に受け止められる先端まで押し進めれば、そのピン又は止めネジ（２３）が図２７〜３１のように上記案内溝レール（１７）の最高点（Ｇ２）まで到達する一方、同じく操作鞘筒（Ｂ）を固定芯筒（Ａ）側の別なストッパーフランジ（８）に受け止められる手元端まで引き戻せば、上記ピン又は止めネジ（２３）がその案内溝レール（１７）の中途部又は最低点（Ｇ１）に位置することとなる。
【００６０】
このような第２実施形態の構成において、特に止めネジ（２３）を採用するならば、これを外部から進退操作することにより、上記固定芯筒（Ａ）に対する操作鞘筒（Ｂ）の押し進め抵抗力を適当に加減調整でき、使いやすさの向上に役立つ。（２４）はその止めネジ（２３）の頭部に切り欠かれた回動工具用係止凹溝、（２５）は上記第１実施形態の凸条（１８）に代えて、やはり操作鞘筒（Ｂ）の外周面に付与された操作手の滑り止め用ローレット加工模様又は梨地粗面を示している。
【００６１】
第２実施形態におけるその他の構成は上記第１実施形態と実質的に同一であるため、その図２５〜３９に図１〜２４との対応符号を記入するにとどめて、その詳細な説明を省略するが、このような第１、２実施形態では伸縮作業桿が断面正多角形の第１、２直桿（Ｐ１）（Ｐ２）から順次接続された嵌合状態にあるため、相対的に空廻りするおそれがなく、その最先端部に取り付け使用される架線受けフックやカメラ、カッターなどの各種作業器具（１）を、常に正しい使用方向性として自づと規制できるのであり、その場合最も太い手元部における外周面のフラット面部へ図１、３のように、上記作業器具（１）の使用方向性を示す光反射テープ（２６）やその他の案内目印を付与しておくことが好ましい。
【００６２】
但し、先の図９、２９と対応する図４０に示した本発明の第３実施形態から明白なように、上記第１、２直桿（Ｐ１）（Ｐ２）をやはりＦＲＰクロスプリプレグの加熱硬化によって、互いに対応する断面円形の積層状態に各々製管し、これらの継手（Ｃ）となる固定芯筒（Ａ）の第２直桿用抱持片（１１）を、その内周面の断面円形に造形してもさしつかえない。その他の構成は上記第１、２実施形態と実質的に同一であり、そのため図４０に図１〜３９との対応符号を記入するにとどめて、その第３実施形態の詳細な説明を割愛する。
【００６３】
何れにしても、本発明に係るテレスコピック式伸縮作業桿の継手（Ｃ）では、上記のように構成されているため、その第１、２直桿（Ｐ１）（Ｐ２）の伸縮操作を行なう場合には、操作鞘筒（Ｂ）を図５、６や図２５、２６のような固定芯筒（Ａ）側のストッパーフランジ（８）に受け止められる手元端まで引き戻した状態のもとで、太い第１直桿（Ｐ１）から細い第２直桿（Ｐ２）を先端方向へ繰り出し伸長させるのであり、そうすれば固定芯筒（Ａ）側の第２直桿用抱持片（１１）が第２直桿（Ｐ２）を包囲する状態となる。
【００６４】
そこで、上記固定芯筒（Ａ）を片手により把持しつつ、そのスチールボール（２０）や止めネジ（２３）が上記抱持片（１１）の先太り円錐勾配面（９）に切り欠き列設されている案内溝レール（１７）の軌跡に沿って、その最低点（Ｇ１）から最高点（Ｇ２）まで登る先端方向へ押し進め乍ら、一定角度（β）だけ捻り回動操作すれば良い。
【００６５】
そうすれば、その操作鞘筒（Ｂ）の内周面によって固定芯筒（Ａ）側の第２直桿用抱持片（１１）が、その口径の徐々に収縮変形され、上記スチールボール（２０）や止めネジ（２３）が案内溝レール（１７）の最高点（Ｇ２）まで到達した最終的に、図７〜１１や図２７〜３１のような第２直桿（Ｐ２）への圧着状態に締め付けロックされる結果となる。
【００６６】
その場合、上記抱持片（１１）の内周面へ耐摩耗性のゴムや熱可塑性エラストマーなどから成る滑り止め用の弾性ライニング又はシュー（１６）を貼り付け一体化しておくならば、これがその抱持片（１１）と第２直桿（Ｐ２）との間隙を弾圧的に詰めることとなり、使用中にショックや振動などの外力を受けるも、上記スチールボール（２０）や止めネジ（２３）が登り勾配を不慮に降りる如く、その第２直桿（Ｐ２）の締め付けロック状態が弛緩してしまうおそれはない。
【００６７】
他方、その第２直桿（Ｐ２）の締め付けロック状態にある操作鞘筒（Ｂ）をやはり片手により、上記操作と逆な方向へ捻り回動させつつ、手元側へ引き戻せば、上記ボール（２０）や止めネジ（２３）が図５、６や図２５、２６のように、その案内溝レール（１７）の最低点（Ｇ１）まで降りるため、上記締め付けロック状態を瞬時に解除することができ、その第１、２直桿（Ｐ１）（Ｐ２）を図３、４のような短縮状態に整然と重合させ得るのであり、その結果頻繁に伸縮操作を繰り返す必要がある多段のテレスコピック式伸縮作業桿の継手（Ｃ）として、利便性と耐久性に著しく優れる。
【図面の簡単な説明】
【００６８】
【図１】本発明に係るテレスコピック式伸縮作業桿の伸長状態を示す半欠截断面図である。
【図２】伸縮作業桿の最も細い先端部へ作業器具を取り付けた使用状態の断面図である。
【図３】図１の短縮状態を示す半欠截断面図である。
【図４】図３の４−４線に沿う拡大断面図である。
【図５】第１直桿に対する第２直桿の弛緩状態を示す正面図である。
【図６】図５の６−６線断面図である。
【図７】同じく第２直桿の締め付けロック状態を示す正面図である。
【図８】図７の８−８線断面図である。
【図９】図７の９−９線断面図である。
【図１０】図８の部分拡大図である。
【図１１】図１０の１１−１１線断面図である。
【図１２】固定芯筒と操作鞘筒とから成る継手を抽出して示す斜面図である。
【図１３】図１２の平面図である。
【図１４】図１２の底面図である。
【図１５】固定芯筒を抽出して示す正面図である。
【図１６】図１５の平面図である。
【図１７】図１５の底面図である。
【図１８】図１５の背面図である。
【図１９】図１５の１９−１９線断面図である。
【図２０】図１５の２０−２０線断面図である。
【図２１】操作鞘筒を抽出して示す正面図である。
【図２２】図２１の平面図である。
【図２３】図２１の２３−２３線断面図である。
【図２４】図２１の２４−２４線断面図である。
【図２５】本発明に係る継手の第２実施形態を示す図５に対応する正面図である。
【図２６】図２５の２６−２６線断面図である。
【図２７】同じく第２実施形態を示す図７に対応する正面図である。
【図２８】図２７の２８−２８線断面図である。
【図２９】図２７の２９−２９線断面図である。
【図３０】図２８の部分拡大図である。
【図３１】図３０の３１−３１線断面図である。
【図３２】第２実施形態の固定芯筒を抽出して示す正面図である。
【図３３】図３２の平面図である。
【図３４】図３２の３４−３４線断面図である。
【図３５】図３２の３５−３５線断面図である。
【図３６】第２実施形態の操作鞘筒を抽出して示す正面図である。
【図３７】図３６の平面図である。
【図３８】図３６の３８−３８線断面図である。
【図３９】図３６の３９−３９線断面図である。
【図４０】図９や図２９に対応する本発明の第３実施形態を示す断面図である。
【符号の説明】
【００６９】
（１）・作業器具（架線受けフック）
（２）・キャップ
（３）・固定ブッシュ
（４）（５）・ストッパーフランジ
（６）・係止段差
（７）・差込み脚筒部
（８）（１２）・ストッパーフランジ
（９）・先太り円錐勾配面
（１０）・口径収縮用割り溝
（１１）・第２直桿用抱持片
（１３）・口径収縮補助用枝溝
（１４）・基端部補強帯片
（１５）・ライニング受け入れ凹溝
（１６）・弾性ライニング
（１７）・案内溝レール
（１８）・滑り止め凸条
（１９）・ボール受け入れ凹溝
（２０）・スチールボール
（２１）・先細り円錐勾配面
（２２）・植込み孔
（２３）・止めネジ
（２６）・光反射テープ
（Ａ）・固定芯筒
（Ｂ）・操作鞘筒
（Ｃ）・継手
（Ｐ１）・第１直桿
（Ｐ２）・第２直桿
（Ｇ１）・最低点
（Ｇ２）・最高点
（α）・交叉角度
（β）・捻り回動角度
（Ｙ−Ｙ）・筒芯線
【図１】
2005114161.tif 000003
【図２】
2005114161.tif 000004
【図３】
2005114161.tif 000005
【図４】
2005114161.tif 000006
【図５】
2005114161.tif 000007
【図６】
2005114161.tif 000008
【図７】
2005114161.tif 000009
【図８】
2005114161.tif 000010
【図９】
2005114161.tif 000011
【図１０】
2005114161.tif 000012
【図１１】
2005114161.tif 000013
【図１２】
2005114161.tif 000014
【図１３】
2005114161.tif 000015
【図１４】
2005114161.tif 000016
【図１５】
2005114161.tif 000017
【図１６】
2005114161.tif 000018
【図１７】
2005114161.tif 000019
【図１８】
2005114161.tif 000020
【図１９】
2005114161.tif 000021
【図２０】
2005114161.tif 000022
【図２１】
2005114161.tif 000023
【図２２】
2005114161.tif 000024
【図２３】
2005114161.tif 000025
【図２４】
2005114161.tif 000026
【図２５】
2005114161.tif 000027
【図２６】
2005114161.tif 000028
【図２７】
2005114161.tif 000029
【図２８】
2005114161.tif 000030
【図２９】
2005114161.tif 000031
【図３０】
2005114161.tif 000032
【図３１】
2005114161.tif 000033
【図３２】
2005114161.tif 000034
【図３３】
2005114161.tif 000035
【図３４】
2005114161.tif 000036
【図３５】
2005114161.tif 000037
【図３６】
2005114161.tif 000038
【図３７】
2005114161.tif 000039
【図３８】
2005114161.tif 000040
【図３９】
2005114161.tif 000041
【図４０】
2005114161.tif 000042